(57)【要約】【課題】  本発明は、例えば、高倍率および高い光学性能を有するズームレンズを提供することを目的とする。【解決手段】  ズームレンズは、物体側から順に、変倍のためには移動しない正の第１群と、変倍のためにそれぞれ移動する２つ乃至４つ群のうちのいずれかの変倍群と、変倍のためには移動しない正のレンズ群とから構成され、前記第１群は、物体側から像側へ順に、合焦のためには移動しない負の第１サブレンズ群と、合焦のために移動する正の第２サブレンズ群と、合焦のためには移動しない正の第３サブレンズ群とからなり、前記第１サブレンズ群を構成するレンズのうち負の屈折力を有し且つアッベ数が最も大きいレンズのアッベ数および該レンズの部分分散比、前記第３サブレンズ群を構成するレンズのうち正の屈折力を有し且つアッベ数が最も小さいレンズのアッベ数および部分分散比が適切に設定される。【選択図】  図１
2019090906.tif 000002
【特許請求の範囲】
【請求項１】
物体側から像側へ順に、変倍のためには移動しない正の屈折力を有する第１レンズ群と、変倍のためにそれぞれ移動する２つ乃至４つ群のうちのいずれかの変倍レンズ群と、変倍のためには移動しない正の屈折力を有するレンズ群とから構成されたズームレンズであって、
前記第１レンズ群は、物体側から像側へ順に、負の屈折力を有し合焦のためには移動しない第１サブレンズ群と、正の屈折力を有し合焦のために移動する第２サブレンズ群と、正の屈折力を有し合焦のためには移動しない第３サブレンズ群とからなり、前記第１サブレンズ群を構成するレンズのうち負の屈折力を有し且つアッベ数が最も大きいレンズのアッベ数をνｎ１１とし、該レンズの部分分散比をθｎ１１とし、前記第３サブレンズ群を構成するレンズのうち正の屈折力を有し且つアッベ数が最も小さいレンズのアッベ数をνｐ１３とし、該レンズの部分分散比をθｐ１３としたとき、
２．００＜νｎ１１／νｐ１３
θｎ１１／θｐ１３＜０．９１
なる条件式を満足することを特徴とするズームレンズ。
但し、ｇ線における屈折率をＮｇとし、Ｃ線における屈折率をＮＣとし、ｄ線における屈折率をＮｄとし、Ｆ線における屈折率をＮＦとして、アッベ数νおよび部分分散比θは、それぞれ
ν＝（Ｎｄ−１）／（ＮＦ−ＮＣ）および
θ＝（Ｎｇ−ＮＦ）／（ＮＦ−ＮＣ）
で表されるものとする。
【請求項２】
前記ズームレンズの広角端での屈折力をφｗとし、前記第１レンズ群の屈折力をφ１とし、前記第１レンズ群を構成する負の屈折力を有するレンズのアッベ数のうちνｎ１１を除いたアッベ数の平均値をνａｎとして、
−０．２０＜（１／νｎ１１−１／νａｎ）／（φ１／φｗ）＜−０．０５
なる条件式を満足することを特徴とする請求項１に記載のズームレンズ。
【請求項３】
前記ズームレンズの望遠端での屈折力をφｔとし、前記第１レンズ群の屈折力をφ１とし、前記第１レンズ群を構成する正の屈折力を有するレンズのアッベ数のうちνｐ１３を除いたアッベ数の平均値をνａｐとして、
０．００５＜（１／νｐ１３−１／νａｐ）／（φ１／φｔ）＜０．０２０
なる条件式を満足することを特徴とする請求項１または２に記載のズームレンズ。
【請求項４】
前記第１レンズ群の屈折力をφ１とし、前記第１サブレンズ群を構成するレンズのうち負の屈折力を有し且つアッベ数が最も大きい前記レンズの屈折力をφｎ１１として、
−０．４０＜φｎ１１／φ１＜−０．１５
なる条件式を満足することを特徴とする請求項１乃至３のいずれか１項に記載のズームレンズ。
【請求項５】
前記第１レンズ群の屈折力をφ１とし、前記３サブレンズ群を構成するレンズのうち正の屈折力を有し且つアッベ数が最も小さい前記レンズの屈折力をφｐ１３とし、
０．００５＜φｐ１３／φ１＜０．４００
なる条件式を満足することを特徴とする請求項１乃至４のいずれか１項に記載のズームレンズ。
【請求項６】
請求項１乃至５のいずれか１項に記載のズームレンズと、前記ズームレンズによって形成された像を受ける撮像素子と、を有することを特徴とする撮像装置。
【発明の詳細な説明】
【技術分野】
【０００１】
本発明は、ズームレンズおよび撮像装置に関するものである。
【背景技術】
【０００２】
テレビカメラや映画用カメラ、写真用カメラ、ビデオカメラなどの撮像装置には小型軽量で、広画角、高変倍比、且つ高い光学性能を有したズームレンズが要望されている。特に、近年のプロフェッショナルの動画撮影システムとしてのテレビ、映画用カメラでは、撮影可能な色域を拡大することで、従来と比べて色彩豊かな映像表現を実現できるカメラが開発されており、これに対応するズームレンズが要望されている。
【０００３】
従来より、高倍率、小型軽量、且つ高性能なズームレンズとして、物体側より順に変倍のためには固定であって正の屈折力を有する第１レンズ群と、変倍のために移動するレンズ群とから構成され、第１レンズ群は負の屈折力を有する第１１レンズ群、正の屈折力を有する第１２レンズ群、正の屈折力を有する第１３レンズ群で構成され、前記第１２レンズ群が合焦（焦点調整）を担う３群インナーフォーカス方式を採用したズームレンズが知られている（特許文献１および特許文献２）。
【先行技術文献】
【特許文献】
【０００４】
【特許文献１】特開２００４−３４１２３８号公報
【特許文献２】特開２０１３−２２１９９９号公報
【発明の概要】
【発明が解決しようとする課題】
【０００５】
上述の特許文献に開示された従来技術では、広角側の倍率色収差の高性能化と望遠側の軸上色収差の高性能化との両立ができない。特許文献１の実施例１および実施例２、ならびに特許文献２の実施例２、実施例３、実施例４および実施例５では、第１１群の負レンズに低分散かつ高部分分散比の硝材を使用して、広角側の倍率色収差を改善しているところ、それに伴って不利となる望遠側の軸上色収差の改善が不十分となりうる。そのため、高倍率（高ズーム比）を有するズームレンズの提供には不利となりうる。
【０００６】
そこで、本発明は、例えば、高倍率および高い光学性能を有するズームレンズを提供することを目的とする。
【課題を解決するための手段】
【０００７】
本発明のズームレンズは、物体側から像側へ順に、変倍のためには移動しない正の屈折力を有する第１レンズ群と、変倍のためにそれぞれ移動する２つ乃至４つ群のうちのいずれかの変倍レンズ群と、変倍のためには移動しない正の屈折力を有するレンズ群とから構成されたズームレンズであって、前記第１レンズ群は、物体側から像側へ順に、負の屈折力を有し合焦のためには移動しない第１サブレンズ群と、正の屈折力を有し合焦のために移動する第２サブレンズ群と、正の屈折力を有し合焦のためには移動しない第３サブレンズ群とからなり、前記第１サブレンズ群を構成するレンズのうち負の屈折力を有し且つアッベ数が最も大きいレンズのアッベ数をνｎ１１とし、該レンズの部分分散比をθｎ１１とし、前記第３サブレンズ群を構成するレンズのうち正の屈折力を有し且つアッベ数が最も小さいレンズのアッベ数をνｐ１３とし、該レンズの部分分散比をθｐ１３としたとき、
２．００＜νｎ１１／νｐ１３
θｎ１１／θｐ１３＜０．９１
なる条件式を満足することを特徴とするズームレンズ。
但し、ｇ線における屈折率をＮｇとし、Ｃ線における屈折率をＮＣとし、ｄ線における屈折率をＮｄとし、Ｆ線における屈折率をＮＦとして、アッベ数νおよび部分分散比θは、それぞれ
ν＝（Ｎｄ−１）／（ＮＦ−ＮＣ）および
θ＝（Ｎｇ−ＮＦ）／（ＮＦ−ＮＣ）
で表されるものとする。
【発明の効果】
【０００８】
本発明によれば、例えば、高倍率および高い光学性能を有するズームレンズを提供することができる。
【図面の簡単な説明】
【０００９】
【図１】数値実施例１の広角端、無限遠合焦時の断面図である。
【図２】数値実施例１の広角端、無限遠合焦時の収差図である。
【図３】数値実施例１の望遠端、無限遠合焦時の収差図である。
【図４】数値実施例２の広角端、無限遠合焦時の断面図である。
【図５】数値実施例２の広角端、無限遠合焦時の収差図である。
【図６】数値実施例２の望遠端、無限遠合焦時の収差図である。
【図７】数値実施例３の広角端、無限遠合焦時の断面図である。
【図８】数値実施例３の広角端、無限遠合焦時の収差図である。
【図９】数値実施例３の望遠端、無限遠合焦時の収差図である。
【図１０】数値実施例４の広角端、無限遠合焦時の断面図である。
【図１１】数値実施例４の広角端、無限遠合焦時の収差図である。
【図１２】数値実施例４の望遠端、無限遠合焦時の収差図である。
【図１３】数値実施例５の広角端、無限遠合焦時の断面図である。
【図１４】数値実施例５の広角端、無限遠合焦時の収差図である。
【図１５】数値実施例５の望遠端、無限遠合焦時の収差図である。
【図１６】数値実施例６の広角端、無限遠合焦時の断面図である。
【図１７】数値実施例６の広角端、無限遠合焦時の収差図である。
【図１８】数値実施例６の望遠端、無限遠合焦時の収差図である。
【図１９】数値実施例７の広角端、無限遠合焦時の断面図である。
【図２０】数値実施例７の広角端、無限遠合焦時の収差図である。
【図２１】数値実施例７の望遠端、無限遠合焦時の収差図である。
【図２２】数値実施例８の広角端、無限遠合焦時の断面図である。
【図２３】数値実施例８の広角端、無限遠合焦時の収差図である。
【図２４】数値実施例８の望遠端、無限遠合焦時の収差図である。
【図２５】数値実施例９の広角端、無限遠合焦時の断面図である。
【図２６】数値実施例９の広角端、無限遠合焦時の収差図である。
【図２７】数値実施例９の望遠端、無限遠合焦時の収差図である。
【図２８】本発明の撮像装置の要部概略図である。
【図２９】正レンズ群の２色色消しと二次スペクトルに関する模式図である。
【図３０】負レンズ群の２色色消しと二次スペクトルに関する模式図である。
【図３１】光学材料のアッベ数νと部分分散比θの分布の模式図である。
【発明を実施するための形態】
【００１０】
本発明のズームレンズは物体側から順に、変倍のためには移動しない正の屈折力を有する第１レンズ群Ｕ１と、変倍に際して移動する２群乃至４群の変倍レンズ群と、変倍のためには移動しない正の屈折力を有する最終レンズ群と、からなるズームレンズで構成される。さらに第１レンズ群Ｕ１は、物体側から像側へ順に、負の屈折力を有し移動しない第１サブレンズ群Ｕ１１、正の屈折力を有し合焦時に際して移動する第２サブレンズ群Ｕ１２、正の屈折力を有し移動しない第３サブレンズ群Ｕ１３からなる。
【００１１】
前記第１サブレンズ群Ｕ１１を構成するレンズのうち、負の屈折力を有し最もアッベ数が大きいレンズのアッベ数をνｎ１１、部分分散比をθｎ１１とし、前記３サブレンズ群Ｕ１３を構成するレンズのうち正の屈折力を有し最もアッベ数が小さいレンズのアッベ数をνｐ１３、部分分散比をθｐ１３としたとき、以下の条件式（１）および（２）を満足するとよい。
２．００＜νｎ１１／νｐ１３  …（１）
θｎ１１／θｐ１３＜０．９１  …（２）
【００１２】
好ましくは、前記ズームレンズ全体の広角端の屈折力をφｗ、望遠端の屈折力をφｔそし、前記第１レンズ群Ｕ１全体の屈折力をφ１、前記第１サブレンズ群Ｕ１１を構成するレンズのうち、負の屈折力を有し最もアッベ数が大きいレンズの屈折力をφｎ１１、前記３サブレンズ群Ｕ１３を構成するレンズのうち正の屈折力を有し最もアッベ数が小さいレンズの屈折力をφｐ１３、前記第１レンズ群Ｕ１を構成するレンズのうち、負の屈折力を有するレンズのアッベ数のνｎ１１を除いた平均値をνａｎ、正の屈折力を有するレンズのアッベ数のνｐ１３を除いた平均値をνａｐとしたとき、
−０．２０＜（１／νｎ１１−１／νａｎ）／（φ１／φｗ）＜−０．０５…（３）
０．００５＜（１／νｐ１３−１／νａｐ）／（φ１／φｔ）＜０．０２０…（４）
−０．４０＜φｎ１１／φ１＜−０．１５  …（５）
０．００５＜φｐ１３／φ１＜０．４００  …（６）
なる条件式を満足する。ここで、ｇ線における屈折率をＮｇ、Ｃ線における屈折率をＮＣ、ｄ線における屈折率をＮｄ、Ｆ線における屈折率をＮＦとしたとき、アッベ数ν、部分分散比θはそれぞれ次のように表される。
ν＝（Ｎｄ−１）／（ＮＦ−ＮＣ）
θ＝（Ｎｇ−ＮＦ）／（ＮＦ−ＮＣ）
【００１３】
各条件式においてズームレンズの構成や、レンズ材料の分散特性、屈折力の条件を規定することにより、広角端における倍率色収差の二次スペクトルと望遠端における軸上色収差の二次スペクトルを補正し、良好な光学性能を実現するための条件を規定している。
【００１４】
条件式（１）および（２）は、第１レンズ群Ｕ１における広角端の倍率色収差の二次スペクトルと望遠端の軸上色収差の二次スペクトルを減少させ、望遠端における軸上色収差の二次スペクトルを適切に補正するための条件である。この条件の概要を図２９乃至図３１を用いて説明する。
【００１５】
図２９に正レンズ群の２色色消しと倍率色収差の二次スペクトルに関する模式図を示す。図３０に正レンズ群の２色色消しと軸上色収差の二次スペクトルに関する模式図を示す。図３１に現存する光学材料のアッベ数νと部分分散比θの分布の模式図を示す。図３１に示すように、現存する光学材料はアッベ数νに対し部分分散比θが狭い範囲に分布しており、アッベ数νが小さいほど部分分散比θが大きい傾向を持っている。所定の屈折力φであり、屈折力φ１、φ２、アッベ数ν１、ν２の２枚のレンズ１、２で構成される薄肉系の色収差補正条件は、
φ１／ν１＋φ２／ν２＝０  …（７）
であらわされる。ここで、
φ＝φ１＋φ２  …（８）
である。（７）式を満たす場合、Ｃ線−Ｆ線の結像位置が合致する。
【００１６】
この時のφ１、φ２は、（７）、（８）式を解いて、以下の式で表される。
φ１＝φ×ν１／（ν１−ν２）  …（９）
φ２＝−φ×ν２／（ν１−ν２）  …（１０）
【００１７】
図２９において、正レンズ群の色消しでは正レンズ１としてアッベ数ν１の大きな材料、負レンズ２としてアッベ数ν２の小さな材料を用いる。したがって図３１より正レンズ１は部分分散比θ１が小さく、負レンズ２は部分分散比θ２が大きくなって、Ｆ線とＣ線で色収差を補正するとｇ線の結像点が像側にずれる。このずれ量を軸上色収差の二次スペクトル量△として定義すると、
△＝−（１／φ）×（θ１−θ２）／（ν１−ν２）  …（１１）
であらわされる。図３０の倍率色収差も負レンズの場合も正レンズとは逆方向である以外は同様である。ここで、第１サブレンズ群Ｕ１１、第２サブレンズ群Ｕ１２、第３サブレンズ群Ｕ１３、変倍系以降の群の二次スペクトル量を△１１、△１２、△１３、△Ｚとし、第２サブレンズ群Ｕ１２、第３サブレンズ群Ｕ１３、変倍系以降の群の結像倍率をβ１２、β１３、βＺとすると、レンズ全系における二次スペクトル量△は以下の式で表される。
△＝△１１×β１２2×β１３2×βＺ2＋△１２×（１−β１２）×β１３2×βＺ2
＋△１３×（１−β１３）×βＺ2＋△Ｚ×（１−βＺ）  …（１２）
【００１８】
△は、広角端の倍率色収差は軸外光線が高い位置を通る第１サブレンズ群Ｕ１１で顕著に発生する。また、望遠端の軸上色収差は軸上マージナル光線が高い位置を通る第３サブレンズ群Ｕ１３で顕著に発生する。したがって、第１サブレンズ群Ｕ１１で発生する倍率色収差の二次スペクトル量△１１ｗを抑制することで広角端の倍率色収差の二次スペクトル量△ｗを低減することができる。また、第３サブレンズ群Ｕ１３で発生する望遠端の軸上色収差の二次スペクトル量△１３ｔを抑制することで望遠端の軸上色収差の二次スペクトル量△ｔを低減することができる。但し、第１サブレンズ群Ｕ１１は望遠端での軸上マージナル光線も比較的高い位置を通り、広角端の倍率色収差の二次スペクトル量△１１ｗを抑制すると望遠端での軸上色収差の二次スペクトル量△１１ｔが大きくなってしまうという問題がある。そこで、第３サブレンズ群Ｕ１３での望遠側の軸上色収差の二次スペクトル量△１３ｔの抑制量は第１サブレンズ群Ｕ１１での悪化分も考慮して大きくする必要がある。ここで、第３サブレンズ群Ｕ１３は広角端の軸外光線が比較的低い位置を通るため、望遠端の軸上色収差の二次スペクトル量△１３ｔを抑制しても、広角端の倍率色収差には大きく影響しない。
【００１９】
条件式（１）および（２）は、広角端における倍率色収差と望遠端における軸上色収差の二次スペクトルを適切に補正するために、第１サブレンズ群Ｕ１１の負レンズと第３サブレンズ群Ｕ１３の正レンズのアッベ数νと部分分散比θの関係を規定したものである。条件式（１）の下限もしくは条件式（２）の上限の条件が満たされないと、広角端の倍率色収差の二次スペクトルを補正しようとすると望遠端の軸上色収差の二次スペクトルの補正が不足する。一方、条件式（１）の上限もしくは条件式（２）の下限の条件が満たされないと、望遠端の軸上色収差の二次スペクトルを補正しようとすると広角端の倍率色収差の二次スペクトルの補正が不足する。
【００２０】
条件式（３）は、広角端におけるＣ線−Ｆ線の色消しと二次スペクトルの補正とを両立させるために、第１レンズ群Ｕ１を構成する負レンズのアッベ数と、第１レンズ群Ｕ１の屈折力φ１と、ズームレンズの広角端での屈折力φｗとの関係を規定したものである。条件式（３）の上限の条件が満たされないと、広角端の倍率色収差の二次スペクトルの補正が過剰となり、ズーム全域で軸上色収差と倍率色収差の性能バランスを維持するのが困難となる。ここで、補正が過剰とは、補正量が大きすぎて、補正しようとしているにも拘わらず逆に悪化してしまうことをいう。また、Ｃ線−Ｆ線の色消しをするために、各レンズの屈折力が大きくなり、良好な光学性能を維持することが困難となる。あるいは、レンズ枚数が増え、小型軽量化が困難となる。条件式（３）の下限の条件が満たされないと、Ｃ線−Ｆ線の色消しと二次スペクトルの補正との両立が困難となる。また、屈折力φｗが小さくなり焦点距離が長くなるので、高変倍化が困難となる。
【００２１】
条件式（４）は、望遠端におけるＣ線−Ｆ線の色消しと二次スペクトルの補正とを両立させるために、第１レンズ群Ｕ１を構成する正レンズのアッベ数νと、第１レンズ群Ｕ１の屈折力φ１と、ズームレンズの望遠端での屈折力φｔとの関係を規定したものである。条件式（４）の上限の条件が満たされないと、望遠端の軸上色収差の二次スペクトルの補正が過剰となり、ズーム全域で軸上色収差と倍率色収差の性能バランスを維持するのが困難となる。また、前記屈折力φｔが大きくなり焦点距離が短くなるので、高変倍化が困難となる。条件式（４）の下限の条件が満たされないと、Ｃ線−Ｆ線の色消しと二次スペクトルの補正との両立が困難となる。また、Ｃ線−Ｆ線の色消しをするために、各レンズの屈折力が大きくなり、良好な光学性能を維持することが困難となる。あるいは、レンズ枚数が増え、小型軽量化が困難となる。
【００２２】
条件式（５）は、広角端におけるＣ線−Ｆ線の色消しと二次スペクトルの補正とを両立させるために、第１サブレンズ群Ｕ１１を構成するレンズのうち負の屈折力を有し且つアッベ数が最も大きいレンズの屈折力φｎ１１と、第１レンズ群Ｕ１の屈折力φ１との比を規定したものである。条件式（５）の上限の条件が満たされないと、Ｃ線−Ｆ線の色消しが困難となり、これを解消するために、各レンズの屈折力が大きくなり、良好な光学性能を維持することが困難となる。あるいは、レンズ枚数が増え、小型軽量化が困難となる。また、条件式（３）の下限の条件が満たされないと、広角端の倍率色収差の二次スペクトルの補正効果が少なくなる。
【００２３】
条件式（６）は、望遠端におけるＣ線−Ｆ線の色消しと二次スペクトルの補正とを両立するために、第３サブレンズ群Ｕ１３を構成するレンズのうち正の屈折力を有し且つアッベ数が最も小さいレンズの屈折力φｐ１３と、第１レンズ群Ｕ１の屈折力φ１との比を規定したものである。条件式（６）の上限の条件が満たされないと、Ｃ線−Ｆ線の色消しが困難となり、これを解消するために、各レンズの屈折力が大きくなり、良好な光学性能を維持することが困難となる。あるいは、レンズ枚数が増え、小型軽量化が困難となる。また、条件式（３）の下限の条件が満たされないと、望遠端の軸上色収差の二次スペクトルの補正効果が少なくなる。
【実施例１】
【００２４】
図１は本発明の実施例１としての数値実施例１の広角端、物体距離無限遠合焦状態におけるレンズ断面図である。図２に数値実施例１の広角端、図３に望遠端における物体距離無限遠に合焦時の収差図を示す。各収差図において、球面収差、倍率色収差、歪曲における実線はｅ線、二点鎖線はｇ線、一点鎖線はＣ線、破線はＦ線を示す。非点収差図における破線と実線は各々メリディオナル像面、サジタル像面を示す。ωは半画角、ＦｎｏはＦナンバーである。球面収差図は０．４ｍｍ、非点収差図は０．４ｍｍ、歪曲図は５％、倍率色収差図は０．０５ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。これは以下の実施例において同様である。
【００２５】
図１において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００２６】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００２７】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数を、ＢＦは空気換算のバックフォーカスを表している。非球面形状は、光軸方向にＸ軸、光軸と垂直方向にＨ軸をそれぞれとり、光の進行方向を正とし、Ｒを近軸曲率半径とし、ｋを円錐常数とし、Ａ３、Ａ４、Ａ５、Ａ６、Ａ７、Ａ８、Ａ９、Ａ１０、Ａ１１、Ａ１２をそれぞれ非球面係数として、次式で表している。非球面形状は、光軸からの高さＨの位置での、面頂点を基準とした光軸方向における面の変位Ｘで表される。また、「ｅ−Ｚ」は「×１０-Z」を意味する。半画角は光線追跡で求めた値である。
【数１】
2019090906.tif 000003
また、数値実施例の面番号に付した記号＊はその面が非球面であることを示す。
【００２８】
表１に本実施例の各条件式対応値を示す。本数値実施例はいずれの条件式も満足しており、広角端での倍率色収差と望遠端での軸上色収差を良好に補正しながら、高いズーム比を達成している。
【００２９】
図２８は各実施例のズームレンズを撮影光学系として用いた撮像装置（テレビカメラシステム）の概略図である。図２８において１０１は実施例１〜９のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆには合焦用レンズ群（合焦に際して移動する移動レンズ群）と、合焦のためには移動しない固定レンズ群と、が含まれている。変倍部ＬＺは変倍のために光軸上を移動するレンズ群と変倍に伴う像面変動を補正するために光軸上を移動するレンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された光学像を受けるＣＣＤセンサやＣＭＯＳセンサ等の固体撮像素子（光電変換素子）である。１１１、１２２はカメラ１２４およびズームレンズ１０１の各種の駆動を制御するＣＰＵである。
【００３０】
このように、本発明のズームレンズをデジタルビデオカメラやテレビカメラやシネマ用カメラに適用することにより、高い光学性能を有する撮像装置を実現している。
【実施例２】
【００３１】
図４は本発明の実施例２としての数値実施例２の広角端、物体距離無限遠合焦状態におけるレンズ断面図である。図５に数値実施例２の広角端、図６に望遠端における物体距離無限遠に合焦時の収差図を示す。
【００３２】
図４において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００３３】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００３４】
表１に本実施例の各条件式対応値を示す。本数値実施例はいずれの条件式も満足しており、広角端での倍率色収差と望遠端での軸上色収差を良好に補正しながら、高いズーム比を達成している。
【実施例３】
【００３５】
図７は本発明の実施例３としての数値実施例３の広角端、物体距離無限遠合焦状態におけるレンズ断面図である。図８に数値実施例３の広角端、図９に望遠端における物体距離無限遠に合焦時の収差図を示す。
【００３６】
図７において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００３７】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００３８】
表１に本実施例の各条件式対応値を示す。本数値実施例はいずれの条件式も満足しており、広角端での倍率色収差と望遠端での軸上色収差を良好に補正しながら、高いズーム比を達成している。
【実施例４】
【００３９】
図１０は本発明の実施例４としての数値実施例４の広角端、物体距離無限遠合焦状態におけるレンズ断面図である。図１１に数値実施例４の広角端、図１２に望遠端における物体距離無限遠に合焦時の収差図を示す。
【００４０】
図１０において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００４１】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００４２】
表１に本実施例の各条件式対応値を示す。本数値実施例はいずれの条件式も満足しており、広角端での倍率色収差と望遠端での軸上色収差を良好に補正しながら、高いズーム比を達成している。
【実施例５】
【００４３】
図１３は本発明の実施例５としての数値実施例５の広角端、物体距離無限遠合焦状態におけるレンズ断面図である。図１４に数値実施例５の広角端、図１５に望遠端における物体距離無限遠に合焦時の収差図を示す。
【００４４】
図１３において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００４５】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００４６】
表１に本実施例の各条件式対応値を示す。本数値実施例はいずれの条件式も満足しており、広角端での倍率色収差と望遠端での軸上色収差を良好に補正しながら、高いズーム比を達成している。
【実施例６】
【００４７】
図１６は本発明の実施例６としての数値実施例６の広角端、物体距離無限遠合焦状態におけるレンズ断面図である。図１７に数値実施例６の広角端、図１８に望遠端における物体距離無限遠に合焦時の収差図を示す。
【００４８】
図１６において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００４９】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００５０】
表１に本実施例の各条件式対応値を示す。本数値実施例はいずれの条件式も満足しており、広角端での倍率色収差と望遠端での軸上色収差を良好に補正しながら、高いズーム比を達成している。
【実施例７】
【００５１】
図１９は本発明の実施例７としての数値実施例７の広角端、物体距離無限遠合焦状態におけるレンズ断面図である。図２０に数値実施例７の広角端、図２１望遠端における物体距離無限遠に合焦時の収差図を示す。
【００５２】
図１９において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３は変倍のために移動するレンズ群である。ＳＰは絞り、第４レンズ群Ｕ４は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００５３】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００５４】
表１に本実施例の各条件式対応値を示す。本数値実施例はいずれの条件式も満足しており、広角端での倍率色収差と望遠端での軸上色収差を良好に補正しながら、高いズーム比を達成している。
【実施例８】
【００５５】
図２２は本発明の実施例８としての数値実施例８の広角端、物体距離無限遠合焦状態におけるレンズ断面図である。図２３に数値実施例８の広角端、図２４に望遠端における物体距離無限遠に合焦時の収差図を示す。
【００５６】
図２２において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３、第４レンズ群Ｕ４は変倍のために移動するレンズ群である。ＳＰは絞り、第５レンズ群Ｕ５は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００５７】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００５８】
表１に本実施例の各条件式対応値を示す。本数値実施例はいずれの条件式も満足しており、広角端での倍率色収差と望遠端での軸上色収差を良好に補正しながら、高いズーム比を達成している。
【実施例９】
【００５９】
図２５は本発明の実施例９としての数値実施例９の広角端、物体距離無限遠合焦状態におけるレンズ断面図である。図２６に数値実施例９の広角端、図２７に望遠端における物体距離無限遠に合焦時の収差図を示す。
【００６０】
図２５において第１レンズ群Ｕ１は正の屈折力を有し、変倍のためには光軸方向に移動しないレンズ群である。第１サブレンズ群Ｕ１１は負の屈折力を有し移動しないレンズ群、第２サブレンズ群Ｕ１２は正の屈折力を有し合焦のために移動するレンズ群、第３サブレンズ群Ｕ１３は正の屈折力を有し移動しないレンズ群である。第２レンズ群Ｕ２、第３レンズ群Ｕ３、第４レンズ群Ｕ４、第５レンズ群Ｕ５は変倍のために移動するレンズ群である。ＳＰは絞り、第６レンズ群Ｕ６は結像作用を有する正の屈折力を有する変倍のためには光軸方向に移動しないレンズ群である。Ｐは色分解プリズムや光学フィルタ等であり、同図ではガラスブロックとして示している。Ｉは撮像面である。
【００６１】
本実施例において第１サブレンズ群Ｕ１１内で最もアッベ数の大きい負レンズは第３面と第４面から構成されるレンズである。また、第３サブレンズ群Ｕ１３内で最もアッベ数の小さい正レンズは第１３面と第１４面から構成されるレンズである。
【００６２】
表１に本実施例の各条件式対応値を示す。本数値実施例はいずれの条件式も満足しており、広角端での倍率色収差と望遠端での軸上色収差を良好に補正しながら、高いズーム比を達成している。
【００６３】
以上、本発明の好ましい実施例について説明したが、本発明はこれらの実施例に限定されないことはいうまでもなく、その要旨の範囲内で種々の変形および変更が可能である。
【００６４】
（数値実施例１）
単位 mm
面番号      r         d        nd        vd       θgF       有効径   焦点距離
1      215.81654   4.17661  1.834000   37.16    0.5776     85.014    -76.194
2       48.89736  17.77884                                 69.723            
3     -193.87903   2.10000  1.618000   63.33    0.5441     69.719   -164.621
4      216.66127   0.20000                                 68.928            
5       77.91068   4.44086  1.922860   18.90    0.6495     69.148    230.839
6      118.61516   3.39029                                 68.522            
7      184.78449   2.00000  1.805181   25.42    0.6161     68.072   -250.067
8       96.31140   0.60630                                 66.772            
9      104.68459  13.00826  1.496999   81.54    0.5375     66.834    109.796
10     -109.94470  10.26684                                 67.109            
11       92.04119   6.45767  1.496999   81.54    0.5375     64.139    217.304
12      598.27674   0.14681                                 63.623            
13      114.62405   4.45397  1.808095   22.76    0.6307     62.002    191.969
14      419.21043   0.30000                                 61.346            
15      188.03395   2.00000  1.755199   27.51    0.6103     60.038    -72.146
16       42.32874  13.81180  1.496999   81.54    0.5375     55.743     75.155
17     -290.41852   0.15000                                 55.579            
18       62.27505   6.35883  1.772499   49.60    0.5520     53.901     95.456
19      372.99569    (可変)                                 53.275            
20*      48.23132   1.00000  1.903660   31.32    0.5946     21.916    -17.375
21       11.79444   6.03366                                 17.601            
22      -26.03854   3.53836  1.922860   18.90    0.6495     17.361     26.358
23      -13.48705   0.75000  1.816000   46.62    0.5568     17.615    -13.168
24       55.56854   0.31317                                 17.850            
25       26.55232   3.37032  1.575006   41.50    0.5767     18.299     36.224
26      -94.63213    (可変)                                 18.238            
27      -26.90093   0.75000  1.772499   49.60    0.5520     18.788    -20.263
28       38.33100   2.53316  1.846660   23.78    0.6205     20.570     42.933
29     -841.45376    (可変)                                 21.010            
30(絞り)   ∞       1.30000                                 26.644            
31     3064.43332   4.47512  1.617722   49.81    0.5603     27.690     53.262
32      -33.39992   0.15000                                 28.287            
33      124.91422   2.65616  1.517417   52.43    0.5564     29.033    150.781
34     -208.80121   0.15000                                 29.082            
35       44.77096   6.56043  1.487490   70.23    0.5300     29.034     43.444
36      -38.50375   1.00000  1.834000   37.16    0.5776     28.717    -42.518
37      493.41848  36.00000                                 28.598            
38       77.98861   4.07868  1.487490   70.23    0.5300     28.371     75.435
39      -68.83078   0.10000                                 28.206            
40       74.28692   1.00000  1.834000   37.16    0.5776     27.068    -29.975
41       18.67856   7.80053  1.517417   52.43    0.5564     25.372     28.563
42      -62.02131   3.68424                                 25.450            
43      -41.36183   2.77180  1.487490   70.23    0.5300     25.019    136.360
44      -26.09211   1.00000  1.816000   46.62    0.5568     25.187    -38.281
45     -157.10302   0.60000                                 26.247            
46       51.38269   7.82352  1.496999   81.54    0.5375     27.412     42.129
47      -33.71503   4.50000                                 27.601            
48         ∞      33.00000  1.608590   46.44    0.5664     40.000            
49         ∞      13.20000  1.516330   64.15    0.5352     40.000            
50         ∞      (可変)                                   40.000            
像面        ∞
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００６５】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   303.40   303.40   303.40   303.40   303.40  
BF             8.02     8.02     8.02     8.02     8.02  
d19            0.08    19.23    32.33    40.82    46.15  
d26           46.41    24.67    10.03     3.23     5.86  
d29            7.11     9.69    11.23     9.54     1.59  
d50            8.02     8.02     8.02     8.02     8.02  
入射瞳位置    49.14    72.77   112.02   175.55   283.18  
射出瞳位置   279.47   279.47   279.47   279.47   279.47  
前側主点位置  55.69    86.18   140.49   237.83   439.06  
後側主点位置   1.62    -4.78   -17.96   -44.20  -102.70  
ズームレンズ群データ
群  始面    焦点距離  レンズ構成長  前側主点位置  後側主点位置
1    1      45.60        91.65        53.37         17.21
2   20     -14.30        15.01         0.77        -11.12
3   27     -38.90         3.28        -0.10         -1.90
4   30      63.54       131.85        74.78       -143.34
【００６６】
（数値実施例２）
単位 mm
面番号      r         d        nd        vd       θgF     有効径   焦点距離
1      187.47861   4.17661  1.834000   37.16    0.5776     85.074    -77.350
2       47.73266  17.86902                                 69.487            
3     -212.61791   2.10000  1.618000   63.33    0.5441     69.483   -168.946
4      207.45438   0.20000                                 68.521            
5       76.02999   4.80433  1.922860   18.90    0.6495     68.562    202.416
6      123.26599   3.10200                                 67.902            
7      181.46955   2.00000  1.854780   24.80    0.6122     67.344   -310.365
8      107.62032   0.45816                                 66.002            
9      115.22296  12.08948  1.438750   94.66    0.5340     66.045    131.513
10     -112.44496  10.46545                                 66.237            
11      100.50771   5.93477  1.433870   95.10    0.5373     63.142    257.546
12      960.32008   0.37814                                 62.730            
13      150.06275   3.68618  1.800000   29.84    0.6017     61.484    303.097
14      384.51360   0.30000                                 60.779            
15      120.94686   2.00000  1.728250   28.46    0.6077     59.040    -88.221
16       41.88967  13.77514  1.496999   81.54    0.5375     55.594     75.174
17     -316.37286   0.15000                                 55.455            
18       62.30850   6.48644  1.788001   47.37    0.5559     54.005     91.642
19      420.12801    (可変)                                 53.391            
20*      48.23132   1.00000  1.903660   31.32    0.5946     21.916    -17.375
21       11.79444   6.03366                                 17.601            
22      -26.03854   3.53836  1.922860   18.90    0.6495     17.361     26.358
23      -13.48705   0.75000  1.816000   46.62    0.5568     17.615    -13.168
24       55.56854   0.31317                                 17.851            
25       26.55232   3.37032  1.575006   41.50    0.5767     18.300     36.224
26      -94.63213    (可変)                                 18.239            
27      -26.90093   0.75000  1.772499   49.60    0.5520     18.788    -20.263
28       38.33100   2.53316  1.846660   23.78    0.6205     20.570     42.933
29     -841.45376    (可変)                                 21.010            
30(絞り)    ∞      1.30000                                 26.645            
31     3064.43332   4.47512  1.617722   49.81    0.5603     27.690     53.262
32      -33.39992   0.15000                                 28.287            
33      124.91422   2.65616  1.517417   52.43    0.5564     29.033    150.781
34     -208.80121   0.15000                                 29.082            
35       44.77096   6.56043  1.487490   70.23    0.5300     29.034     43.444
36      -38.50375   1.00000  1.834000   37.16    0.5776     28.717    -42.518
37      493.41848  36.00000                                 28.598            
38       77.98861   4.07868  1.487490   70.23    0.5300     28.372     75.435
39      -68.83078   0.10000                                 28.207            
40       74.28692   1.00000  1.834000   37.16    0.5776     27.068    -29.975
41       18.67856   7.80053  1.517417   52.43    0.5564     25.393     28.563
42      -62.02131   3.68424                                 25.470            
43      -41.36183   2.77180  1.487490   70.23    0.5300     25.039    136.360
44      -26.09211   1.00000  1.816000   46.62    0.5568     25.207    -38.281
45     -157.10302   0.60000                                 26.270            
46       51.38269   7.82352  1.496999   81.54    0.5375     27.438     42.129
47      -33.71503   4.50000                                 27.627            
48         ∞      33.00000  1.608590   46.44    0.5664     40.000            
49         ∞      13.20000  1.516330   64.15    0.5352     40.000            
50         ∞       (可変)                                  40.000            
像面        ∞  
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００６７】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   301.75   301.75   301.75   301.75   301.75  
BF             8.02     8.02     8.02     8.02     8.02  
d19            0.10    19.26    32.35    40.85    46.17  
d26           46.41    24.67    10.03     3.23     5.86  
d29            7.11     9.69    11.23     9.54     1.59  
d50            8.02     8.02     8.02     8.02     8.02  
入射瞳位置    49.44    73.07   112.31   175.85   283.47  
射出瞳位置   279.47   279.47   279.47   279.47   279.47  
前側主点位置  55.99    86.48   140.78   238.12   439.36  
後側主点位置   1.62    -4.78   -17.96   -44.20  -102.70  
ズームレンズ群データ
群  始面    焦点距離  レンズ構成長  前側主点位置  後側主点位置
1    1      45.60        89.98        53.66         17.24
2   20     -14.30        15.01         0.77        -11.12
3   27     -38.90         3.28        -0.10         -1.90
4   30      63.54       131.85        74.78       -143.34
【００６８】
（数値実施例３）
単位 mm
面番号      r         d        nd        vd       θgF     有効径   焦点距離
1      212.94959   4.17661  1.788001   47.37    0.5559     85.248    -82.581
2       49.60073  17.01460                                 69.931            
3     -237.75062   2.10000  1.618000   63.33    0.5441     69.926   -201.256
4      263.77756   0.20000                                 68.675            
5       81.76473   3.43830  1.922860   18.90    0.6495     67.979    334.373
6      108.50226   4.16991                                 67.289            
7      209.69573   2.00000  1.851500   40.78    0.5695     66.756   -209.742
8       96.32682   0.14297                                 65.057            
9       97.02019  12.53347  1.438750   94.66    0.5340     65.054    122.489
10     -116.38082   5.21633                                 65.182            
11       92.40880  12.55205  1.433870   95.10    0.5373     64.605    146.954
12     -198.79131   2.72178                                 63.572            
13      184.99920   1.48312  1.846660   23.88    0.6218     59.590   1405.898
14      217.84237   0.30000                                 59.126            
15      134.76551   2.00000  1.717362   29.52    0.6047     58.293    -99.255
16       46.53913  12.72797  1.496999   81.54    0.5375     55.630     80.231
17     -258.38388   0.15000                                 55.551            
18       63.61778   6.70193  1.788001   47.37    0.5559     54.255     88.685
19      643.77778    (可変)                                 53.663            
20*      48.23132   1.00000  1.903660   31.32    0.5946     21.919    -17.375
21       11.79444   6.03366                                 17.601            
22      -26.03854   3.53836  1.922860   18.90    0.6495     17.360     26.358
23      -13.48705   0.75000  1.816000   46.62    0.5568     17.613    -13.168
24       55.56854   0.31317                                 17.845            
25       26.55232   3.37032  1.575006   41.50    0.5767     18.292     36.224
26      -94.63213    (可変)                                 18.230            
27      -26.90093   0.75000  1.772499   49.60    0.5520     18.787    -20.263
28       38.33100   2.53316  1.846660   23.78    0.6205     20.569     42.933
29     -841.45376    (可変)                                 21.009            
30(絞り)   ∞       1.30000                                 26.643            
31     3064.43332   4.47512  1.617722   49.81    0.5603     27.689     53.262
32      -33.39992   0.15000                                 28.286            
33      124.91422   2.65616  1.517417   52.43    0.5564     29.032    150.781
34     -208.80121   0.15000                                 29.081            
35       44.77096   6.56043  1.487490   70.23    0.5300     29.033     43.444
36      -38.50375   1.00000  1.834000   37.16    0.5776     28.716    -42.518
37      493.41848  36.00000                                 28.597            
38       77.98861   4.07868  1.487490   70.23    0.5300     28.370     75.435
39      -68.83078   0.10000                                 28.205            
40       74.28692   1.00000  1.834000   37.16    0.5776     27.067    -29.975
41       18.67856   7.80053  1.517417   52.43    0.5564     25.306     28.563
42      -62.02131   3.68424                                 25.385            
43      -41.36183   2.77180  1.487490   70.23    0.5300     24.954    136.360
44      -26.09211   1.00000  1.816000   46.62    0.5568     25.122    -38.281
45     -157.10302   0.60000                                 26.173            
46       51.38269   7.82352  1.496999   81.54    0.5375     27.328     42.129
47      -33.71503   4.50000                                 27.518            
48         ∞      33.00000  1.608590   46.44    0.5664     40.000            
49         ∞      13.20000  1.516330   64.15    0.5352     40.000            
50         ∞       (可変)                                  40.000            
像面        ∞
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００６９】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   301.41   301.41   301.41   301.41   301.41  
BF             8.02     8.02     8.02     8.02     8.02  
d19            0.10    19.26    32.35    40.85    46.17  
d26           46.41    24.67    10.03     3.23     5.86  
d29            7.11     9.69    11.23     9.54     1.59  
d50            8.02     8.02     8.02     8.02     8.02  
入射瞳位置    49.57    73.20   112.44   175.98   283.60  
射出瞳位置   279.47   279.47   279.47   279.47   279.47  
前側主点位置  56.12    86.61   140.92   238.25   439.49  
後側主点位置   1.62    -4.78   -17.96   -44.20  -102.70  
ズームレンズ群データ
群  始面    焦点距離  レンズ構成長  前側主点位置  後側主点位置
1    1      45.60        89.63        53.79         17.24
2   20     -14.30        15.01         0.77        -11.12
3   27     -38.90         3.28        -0.10         -1.90
4   30      63.54       131.85        74.78       -143.34
【００７０】
（数値実施例４）
単位 mm
面番号      r         d        nd        vd       θgF     有効径   焦点距離
1      256.86776   4.17661  1.834000   37.16    0.5776     85.096    -71.169
2       48.10435  16.92446                                 69.519            
3     -293.62486   2.10000  1.433870   95.10    0.5373     69.516   -250.000
4      173.06932   0.20000                                 68.552            
5       71.55834   5.13766  1.922860   18.90    0.6495     68.512    185.366
6      117.71531   4.37413                                 67.799            
7      268.18403   2.00000  1.892860   20.36    0.6393     67.154   -227.467
8      115.91494  -0.03491                                 66.394            
9      112.91842  13.65018  1.438750   94.66    0.5340     66.438    116.333
10      -90.11853   9.64584                                 66.631            
11      128.36548   3.82996  1.438750   94.66    0.5340     61.993    502.680
12      303.24864   0.14368                                 61.493            
13      164.53128   3.59476  1.959060   17.47    0.6598     60.974    301.557
14      371.07919   0.30000                                 60.246            
15      105.35585   2.00000  1.805181   25.42    0.6161     58.389    -82.686
16       40.67831  12.30057  1.496999   81.54    0.5375     54.820     84.291
17     1149.85482   0.15000                                 54.833            
18       58.43730   8.48577  1.772499   49.60    0.5520     55.059     71.223
19     -959.46339    (可変)                                 54.535            
20*      48.23132   1.00000  1.903660   31.32    0.5946     21.913    -17.375
21       11.79444   6.03366                                 17.601            
22      -26.03854   3.53836  1.922860   18.90    0.6495     17.362     26.358
23      -13.48705   0.75000  1.816000   46.62    0.5568     17.617    -13.168
24       55.56854   0.31317                                 17.856            
25       26.55232   3.37032  1.575006   41.50    0.5767     18.307     36.224
26      -94.63213    (可変)                                 18.247            
27      -26.90093   0.75000  1.772499   49.60    0.5520     18.788    -20.263
28       38.33100   2.53316  1.846660   23.78    0.6205     20.570     42.933
29     -841.45376    (可変)                                 21.010           
30(絞り)   ∞       1.30000                                 26.645           
31     3064.43332   4.47512  1.617722   49.81    0.5603     27.690     53.262
32      -33.39992   0.15000                                 28.287           
33      124.91422   2.65616  1.517417   52.43    0.5564     29.033    150.781
34     -208.80121   0.15000                                 29.082           
35       44.77096   6.56043  1.487490   70.23    0.5300     29.034     43.444
36      -38.50375   1.00000  1.834000   37.16    0.5776     28.717    -42.518
37      493.41848  36.00000                                 28.598           
38       77.98861   4.07868  1.487490   70.23    0.5300     28.372     75.435
39      -68.83078   0.10000                                 28.207           
40       74.28692   1.00000  1.834000   37.16    0.5776     27.068    -29.975
41       18.67856   7.80053  1.517417   52.43    0.5564     25.302     28.563
42      -62.02131   3.68424                                 25.382           
43      -41.36183   2.77180  1.487490   70.23    0.5300     24.952    136.360
44      -26.09211   1.00000  1.816000   46.62    0.5568     25.121    -38.281
45     -157.10302   0.60000                                 26.174           
46       51.38269   7.82352  1.496999   81.54    0.5375     27.330     42.129
47      -33.71503   4.50000                                 27.521           
48         ∞      33.00000  1.608590   46.44    0.5664     40.000           
49         ∞      13.20000  1.516330   64.15    0.5352     40.000           
50         ∞       (可変)                                  40.000           
像面        ∞
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００７１】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   300.76   300.76   300.76   300.76   300.76  
BF             8.02     8.02     8.02     8.02     8.02  
d19            0.10    19.26    32.35    40.85    46.17  
d26           46.41    24.67    10.03     3.23     5.86  
d29            7.11     9.69    11.23     9.54     1.59  
d50            8.02     8.02     8.02     8.02     8.02  
入射瞳位置    48.44    72.07   111.32   174.85   282.48  
射出瞳位置   279.47   279.47   279.47   279.47   279.47  
前側主点位置  54.99    85.48   139.79   237.13   438.36  
後側主点位置   1.62    -4.78   -17.96   -44.20  -102.70  
ズームレンズ群データ
群  始面    焦点距離  レンズ構成長  前側主点位置  後側主点位置
1    1      45.60        88.98        52.67         17.24
2   20     -14.30        15.01         0.77        -11.12
3   27     -38.90         3.28        -0.10         -1.90
4   30      63.54       131.85        74.78       -143.34
【００７２】
（数値実施例５）
単位 mm
面番号      r         d        nd        vd       θgF     有効径   焦点距離
1      141.92131   4.17661  1.834000   37.16    0.5776     84.982    -95.486
2       50.53186  21.44256                                 70.617           
3      -91.92930   2.10000  1.487490   70.23    0.5300     70.610   -120.000
4      163.59476   0.20000                                 68.908           
5       70.63501   2.35291  1.772499   49.60    0.5520     68.975    931.868
6       77.13974   5.03492                                 68.350           
7      132.39465   2.00000  1.805181   25.42    0.6161     68.224   -337.124
8       88.65467   2.56220                                 67.685           
9      136.60328  12.68708  1.496999   81.54    0.5375     67.775    117.372
10      -99.17025   5.92168                                 68.443           
11       71.36705  11.87971  1.438750   94.66    0.5340     69.937    133.991
12     -321.17560   0.12385                                 69.700           
13      182.55258   3.12601  1.959060   17.47    0.6598     67.008    225.564
14     1082.15441   0.30000                                 66.765           
15       80.54659   2.00000  1.755199   27.51    0.6103     62.474    -83.421
16       35.13830  13.18884  1.496999   81.54    0.5375     56.576     92.247
17      130.40642   0.15000                                 56.007           
18       69.91995   6.58042  1.754999   52.32    0.5475     55.380     97.952
19     1140.27839    (可変)                                 54.796           
20       48.23132   1.00000  1.903660   31.32    0.5946     21.921    -17.375
21       11.79444   6.03366                                 17.601           
22      -26.03854   3.53836  1.922860   18.90    0.6495     17.359     26.358
23      -13.48705   0.75000  1.816000   46.62    0.5568     17.611    -13.168
24       55.56854   0.31317                                 17.840           
25       26.55232   3.37032  1.575006   41.50    0.5767     18.285     36.224
26      -94.63213    (可変)                                 18.222           
27      -26.90093   0.75000  1.772499   49.60    0.5520     18.788    -20.263
28       38.33100   2.53316  1.846660   23.78    0.6205     20.570     42.933
29     -841.45376    (可変)                                 21.010           
30(絞り)   ∞       1.30000                                 26.645           
31     3064.43332   4.47512  1.617722   49.81    0.5603     27.690     53.262
32      -33.39992   0.15000                                 28.287           
33      124.91422   2.65616  1.517417   52.43    0.5564     29.033    150.781
34     -208.80121   0.15000                                 29.082           
35       44.77096   6.56043  1.487490   70.23    0.5300     29.034     43.444
36      -38.50375   1.00000  1.834000   37.16    0.5776     28.717    -42.518
37      493.41848  36.00000                                 28.598           
38       77.98861   4.07868  1.487490   70.23    0.5300     28.372     75.435
39      -68.83078   0.10000                                 28.207           
40       74.28692   1.00000  1.834000   37.16    0.5776     27.068    -29.975
41       18.67856   7.80053  1.517417   52.43    0.5564     25.473     28.563
42      -62.02131   3.68424                                 25.548           
43      -41.36183   2.77180  1.487490   70.23    0.5300     25.115    136.360
44      -26.09211   1.00000  1.816000   46.62    0.5568     25.282    -38.281
45     -157.10302   0.60000                                 26.352           
46       51.38269   7.82352  1.496999   81.54    0.5375     27.530     42.129
47      -33.71503   4.50000                                 27.716           
48         ∞      33.00000  1.608590   46.44    0.5664     40.000           
49         ∞      13.20000  1.516330   64.15    0.5352     40.000           
50         ∞       0.00000                                 40.000           
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００７３】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   308.68   308.68   308.68   308.68   308.68  
BF             8.02     8.02     8.02     8.02     8.02  
d19            1.17    20.33    33.42    41.92    47.24  
d26           46.41    24.67    10.03     3.23     5.86  
d29            7.11     9.69    11.23     9.54     1.59  
d50            8.02     8.02     8.02     8.02     8.02  
入射瞳位置    51.82    75.46   114.70   178.24   285.86  
射出瞳位置   279.47   279.47   279.47   279.47   279.47  
前側主点位置  58.37    88.86   143.17   240.51   441.74  
後側主点位置   1.62    -4.78   -17.96   -44.20  -102.70  
ズームレンズ群データ
群  始面    焦点距離  レンズ構成長  前側主点位置  後側主点位置
1    1      45.60        95.83        56.05         18.31
2   20     -14.30        15.01         0.77        -11.12
3   27     -38.90         3.28        -0.10         -1.90
4   30      63.54       131.85        74.78       -143.34
【００７４】
（数値実施例６）
単位 mm
面番号      r         d        nd        vd       θgF     有効径   焦点距離
1      204.25216   4.17661  1.834000   37.16    0.5776     85.025    -76.705
2       48.49427  17.81306                                 69.638           
3     -199.40523   2.10000  1.595220   67.74    0.5442     69.635   -176.394
4      224.28936   0.20000                                 68.738           
5       78.15344   4.61515  1.922860   18.90    0.6495     68.745    215.095
6      124.24155   3.06759                                 68.099           
7      181.20904   2.00000  1.854780   24.80    0.6122     67.567   -403.151
8      118.53729   1.12636                                 66.262           
9      150.26367  10.96376  1.438750   94.66    0.5340     66.267    148.559
10     -113.04955  10.28549                                 66.497           
11      108.61488   8.34049  1.433870   95.10    0.5373     63.990    181.843
12     -284.23707   0.14224                                 63.517           
13      220.29684   3.10171  1.800000   29.84    0.6017     61.468   5000.000
14      231.56541   0.30000                                 60.293           
15       80.79933   2.00000  1.728250   28.46    0.6077     58.440   -120.602
16       41.80724  13.88530  1.496999   81.54    0.5375     55.968     75.702
17     -344.50529   0.15000                                 55.707           
18       65.42852   5.77432  1.788001   47.37    0.5559     53.740    104.341
19      301.97915    (可変)                                 53.102           
20*      48.23132   1.00000  1.903660   31.32    0.5946     21.916    -17.375
21       11.79444   6.03366                                 17.601           
22      -26.03854   3.53836  1.922860   18.90    0.6495     17.361     26.358
23      -13.48705   0.75000  1.816000   46.62    0.5568     17.615    -13.168
24       55.56854   0.31317                                 17.851           
25       26.55232   3.37032  1.575006   41.50    0.5767     18.300     36.224
26      -94.63213    (可変)                                 18.239           
27      -26.90093   0.75000  1.772499   49.60    0.5520     18.788    -20.263
28       38.33100   2.53316  1.846660   23.78    0.6205     20.570     42.933
29     -841.45376    (可変)                                 21.010           
30(絞り)   ∞       1.30000                                 26.644           
31     3064.43332   4.47512  1.617722   49.81    0.5603     27.690     53.262
32      -33.39992   0.15000                                 28.287           
33      124.91422   2.65616  1.517417   52.43    0.5564     29.033    150.781
34     -208.80121   0.15000                                 29.082           
35       44.77096   6.56043  1.487490   70.23    0.5300     29.034     43.444
36      -38.50375   1.00000  1.834000   37.16    0.5776     28.717    -42.518
37      493.41848  36.00000                                 28.598           
38       77.98861   4.07868  1.487490   70.23    0.5300     28.371     75.435
39      -68.83078   0.10000                                 28.206           
40       74.28692   1.00000  1.834000   37.16    0.5776     27.068    -29.975
41       18.67856   7.80053  1.517417   52.43    0.5564     25.369     28.563
42      -62.02131   3.68424                                 25.447           
43      -41.36183   2.77180  1.487490   70.23    0.5300     25.016    136.360
44      -26.09211   1.00000  1.816000   46.62    0.5568     25.184    -38.281
45     -157.10302   0.60000                                 26.243           
46       51.38269   7.82352  1.496999   81.54    0.5375     27.408     42.129
47      -33.71503   4.50000                                 27.597           
48         ∞      33.00000  1.608590   46.44    0.5664     40.000           
49         ∞      13.20000  1.516330   64.15    0.5352     40.000           
50         ∞       (可変)                                  40.000           
像面        ∞
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００７５】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   301.82   301.82   301.82   301.82   301.82  
BF             8.02     8.02     8.02     8.02     8.02  
d19            0.10    19.26    32.35    40.85    46.17  
d26           46.41    24.67    10.03     3.23     5.86  
d29            7.11     9.69    11.23     9.54     1.59  
d50            8.02     8.02     8.02     8.02     8.02  
入射瞳位置    49.28    72.92   112.16   175.70   283.32  
射出瞳位置   279.47   279.47   279.47   279.47   279.47  
前側主点位置  55.83    86.32   140.63   237.97   439.20  
後側主点位置   1.62    -4.78   -17.96   -44.20  -102.70  
ズームレンズ群データ
群  始面    焦点距離  レンズ構成長  前側主点位置  後側主点位置
1    1      45.60        90.04        53.51         17.24
2   20     -14.30        15.01         0.77        -11.12
3   27     -38.90         3.28        -0.10         -1.90
4   30      63.54       131.85        74.78       -143.34
【００７６】
（数値実施例７）
単位 mm
面番号      r         d        nd        vd       θgF     有効径   焦点距離
1      200.52186   4.17661  1.834000   37.16    0.5776     84.988    -77.573
2       48.68262  18.42889                                 69.691           
3     -164.44095   2.10000  1.487490   70.23    0.5300     69.687   -191.876
4      219.57025   0.20000                                 68.572           
5       77.39663   3.54658  1.922860   18.90    0.6495     68.350    322.813
6      101.80993   5.27690                                 67.683           
7      280.27044   2.00000  1.805181   25.42    0.6161     67.256   -188.204
8       98.63072   0.22657                                 66.974           
9      100.67434  12.86323  1.496999   81.54    0.5375     67.057    112.484
10     -121.16586   5.17661                                 67.509           
11       84.67144  11.25151  1.496999   81.54    0.5375     67.595    130.783
12     -270.79830   0.14993                                 66.996           
13      145.61103   6.59480  1.922860   18.90    0.6495     63.725    120.000
14     -476.71385   0.30000                                 62.688           
15     -649.67299   2.00000  1.755199   27.51    0.6103     61.914    -49.385
16       39.97977  13.52877  1.496999   81.54    0.5375     55.273     77.069
17     -871.13350   0.15000                                 55.168           
18       59.74527   7.28895  1.772499   49.60    0.5520     54.378     82.745
19      810.53865    (可変)                                 53.790           
20*      48.23132   1.00000  1.903660   31.32    0.5946     21.915    -17.375
21       11.79444   6.03366                                 17.601           
22      -26.03854   3.53836  1.922860   18.90    0.6495     17.361     26.358
23      -13.48705   0.75000  1.816000   46.62    0.5568     17.616    -13.168
24       55.56854   0.31317                                 17.852           
25       26.55232   3.37032  1.575006   41.50    0.5767     18.301     36.224
26      -94.63213    (可変)                                 18.240           
27      -26.90093   0.75000  1.772499   49.60    0.5520     18.788    -20.263
28       38.33100   2.53316  1.846660   23.78    0.6205     20.570     42.933
29     -841.45376    (可変)                                 21.010           
30(絞り)   ∞       1.30000                                 26.644           
31     3064.43332   4.47512  1.617722   49.81    0.5603     27.690     53.262
32      -33.39992   0.15000                                 28.287           
33      124.91422   2.65616  1.517417   52.43    0.5564     29.033    150.781
34     -208.80121   0.15000                                 29.082           
35       44.77096   6.56043  1.487490   70.23    0.5300     29.034     43.444
36      -38.50375   1.00000  1.834000   37.16    0.5776     28.717    -42.518
37      493.41848  36.00000                                 28.598           
38       77.98861   4.07868  1.487490   70.23    0.5300     28.371     75.435
39      -68.83078   0.10000                                 28.206           
40       74.28692   1.00000  1.834000   37.16    0.5776     27.068    -29.975
41       18.67856   7.80053  1.517417   52.43    0.5564     25.393     28.563
42      -62.02131   3.68424                                 25.470           
43      -41.36183   2.77180  1.487490   70.23    0.5300     25.039    136.360
44      -26.09211   1.00000  1.816000   46.62    0.5568     25.207    -38.281
45     -157.10302   0.60000                                 26.270           
46       51.38269   7.82352  1.496999   81.54    0.5375     27.438     42.129
47      -33.71503   4.50000                                 27.627           
48         ∞      33.00000  1.608590   46.44    0.5664     40.000           
49         ∞      13.20000  1.516330   64.15    0.5352     40.000           
50         ∞       (可変)                                  40.000           
像面        ∞
非球面データ
第20面
K =-3.02619e+001  A 4= 2.24478e-005  A 6=-2.99801e-007  A 8= 7.08419e-009  A10=-3.76526e-011  A12=-1.80438e-013  A14= 2.02751e-015  A16=-9.51394e-018  
A 3= 5.77249e-006  A 5= 2.58564e-006  A 7=-6.13157e-008  A 9= 3.93859e-010  A11=-2.17157e-012  A13= 1.39559e-014  A15= 2.52043e-017  
【００７７】
各種データ
ズーム比     17.30 
焦点距離       6.40    12.80    25.98    52.22   110.72  
Fナンバー      1.87     1.87     1.87     1.88     3.00  
半画角        40.67    23.25    11.95     6.01     2.84  
像高           5.50     5.50     5.50     5.50     5.50  
レンズ全長   307.04   307.04   307.04   307.04   307.04  
BF             8.02     8.02     8.02     8.02     8.02  
d19            0.10    19.26    32.35    40.85    46.17  
d26           46.41    24.67    10.03     3.23     5.86  
d29            7.11     9.69    11.23     9.54     1.59  
d50            8.02     8.02     8.02     8.02     8.02  
入射瞳位置    49.52    73.15   112.39   175.93   283.55  
射出瞳位置   279.47   279.47   279.47   279.47   279.47  
前側主点位置  56.07    86.55   140.86   238.20   439.43  
後側主点位置   1.62    -4.78   -17.96   -44.20  -102.70  
ズームレンズ群データ
群  始面    焦点距離  レンズ構成長  前側主点位置  後側主点位置
1    1      45.60        95.26        53.74         17.24
2   20     -14.30        15.01         0.77        -11.12
3   27     -38.90         3.28        -0.10         -1.90
4   30      63.54       131.85        74.78       -143.34
【００７８】
（数値実施例８）
単位 mm
面番号      r         d        nd        vd       θgF     有効径   焦点距離
1      502.66990   4.17661  1.834000   37.16    0.5776     85.047    -79.265
2       58.53044  16.86559                                 71.935      
3     -145.48338   2.10000  1.618000   63.33    0.5441     71.937   -139.457
4      214.58771   0.20000                                 71.480      
5       89.57371   3.93930  1.922860   18.90    0.6495     72.118    297.153
6      129.43046   2.96368                                 71.624      
7      181.74842   2.00000  1.805181   25.42    0.6161     71.417   -220.296
8       89.74239   0.56259                                 69.985      
9       95.93195  15.71103  1.496999   81.54    0.5375     70.001     96.907
10      -91.99175  11.12364                                 69.738      
11       98.04867   7.91220  1.496999   81.54    0.5375     62.720    157.494
12     -383.24690   0.12020                                 62.715      
13      105.37429   3.48238  1.808095   22.76    0.6307     62.209    301.809
14      181.37119   0.30000                                 61.750      
15       71.61742   2.00000  1.755199   27.51    0.6103     60.452   -118.278
16       39.41732  13.29035  1.496999   81.54    0.5375     56.407     87.181
17      376.56668   0.15000                                 55.574      
18       80.49402   4.60417  1.772499   49.60    0.5520     53.908    153.837
19      240.81522    (可変)                                 53.113     
20       46.77190   1.00000  1.903660   31.32    0.5946     21.791    -17.829
21       11.92789   6.06434                                 17.574     
22      -23.36350   3.52331  1.922860   18.90    0.6495     17.340     26.778
23      -12.96130   0.75000  1.816000   46.62    0.5568     17.637    -12.758
24       55.71183   0.31317                                 17.990     
25       28.14757   3.53106  1.575006   41.50    0.5767     18.461     33.975
26      -62.06863    (可変)                                 18.452    
27      -26.54588   0.75000  1.772499   49.60    0.5520     18.883    -20.291
28       39.20474   2.72698  1.846660   23.78    0.6205     20.695     43.226
29     -624.72572    (可変)                                 21.218     
30(絞り)   ∞       1.30000                                 26.559     
31    -1925.64395   5.16940  1.617722   49.81    0.5603     27.542     54.014
32      -32.98509   0.15000                                 28.475     
33       81.28116   3.32523  1.517417   52.43    0.5564     29.346    103.318
34     -156.04622   0.15000                                 29.339     
35       53.91507   6.74087  1.487490   70.23    0.5300     29.035     47.865
36      -39.68463   1.00000  1.834000   37.16    0.5776     28.502    -41.992
37      318.66444    (可変)                                 28.294     
38       89.61184   3.57419  1.517417   52.43    0.5564     27.486     88.673
39      -93.60189   0.19988                                 27.304     
40       45.79275   1.00000  1.882997   40.76    0.5667     26.609    -37.257
41       19.01190   4.16812  1.496999   81.54    0.5375     25.260     86.238
42       31.60282   2.76677                                 25.242     
43       31.44278   8.63738  1.487490   70.23    0.5300     26.647     31.380
44      -27.28265   1.00000  1.882997   40.76    0.5667     26.590    -35.801
45     -195.48929   0.60195                                 27.427     
46       88.18676   6.36034  1.487490   70.23    0.5300     28.029     49.259
47      -32.36757   4.50000                                 28.178     
48         ∞      33.00000  1.608590   46.44    0.5664     40.000     
49         ∞      13.20000  1.516330   64.15    0.5352     40.000   
50         ∞      (可変)                                   40.000    
像面        ∞
非球面データ
第20面
K =-3.25693e+000  A 4=-2.07343e-005  A 6=-1.23511e-006  A 8= 1.00881e-007  A10=-1.28429e-010  A12= 2.81194e-012  A14=-3.27264e-014  A16=-2.37382e-016  
A 3= 2.35118e-005  A 5= 9.15941e-006  A 7=-2.45164e-007  A 9=-1.06120e-008  A11= 7.05616e-011  A13=-6.39259e-013  A15= 6.91970e-015  
【００７９】
各種データ
ズーム比     17.30 
焦点距離       6.54    13.21    26.80    52.20   113.09  
Fナンバー      1.87     1.87     1.87     1.88     3.00  
半画角        40.08    22.61    11.60     6.02     2.78  
像高           5.50     5.50     5.50     5.50     5.50  
レンズ全長   305.86   305.86   305.86   305.86   305.86  
BF             7.99     7.99     7.99     7.99     7.99  
d19            0.96    19.37    33.63    42.43    48.14  
d26           47.20    21.10     7.99     3.00     5.13  
d29            6.70     9.99    11.34     9.45     1.57  
d37           36.00    40.40    37.89    35.98    36.01  
d50            7.99     7.99     7.99     7.99     7.99  
入射瞳位置    49.31    71.75   113.78   181.21   297.68  
射出瞳位置   240.02   176.35   207.43   240.43   239.73  
前側主点位置  56.03    85.99   144.19   245.13   465.96  
後側主点位置   1.46    -5.21   -18.81   -44.20  -105.09  
ズームレンズ群データ
群  始面    焦点距離  レンズ構成長  前側主点位置  後側主点位置
1    1      47.80        91.50        52.74         17.20
2   20     -14.46        15.18         0.69        -11.54
3   27     -38.81         3.48        -0.13         -2.03
4   30      36.05        17.84         2.76         -8.73
5   38      51.25        79.01        14.98        -40.72
【００８０】
（数値実施例９）
単位 mm
面番号      r         d        nd        vd       θgF     有効径   焦点距離
1      983.79063   4.17661  1.834000   37.16    0.5776     85.045    -81.378
2       63.74446  15.85044                                 72.763     
3     -150.74735   2.10000  1.618000   63.33    0.5441     72.766   -140.008
4      205.99319   0.20000                                 72.150      0.000
5       89.36076   3.65416  1.922860   18.90    0.6495     72.713    341.859
6      121.62364   2.97942                                 72.205     
7      165.80455   2.00000  1.805181   25.42    0.6161     72.023   -235.743
8       88.39960   0.80214                                 70.581     
9       97.33154  15.78724  1.496999   81.54    0.5375     70.599     97.975
10      -92.72714  10.96125                                 70.342     
11       95.59247   8.05772  1.496999   81.54    0.5375     61.782    149.575
12     -329.30522   0.12078                                 61.774   
13      107.21904   3.41380  1.808095   22.76    0.6307     61.161    301.735
14      187.13054   0.30000                                 60.701     
15       66.38875   2.00000  1.755199   27.51    0.6103     59.200   -124.654
16       38.56102  12.57190  1.496999   81.54    0.5375     55.216     89.796
17      248.26323   0.15000                                 54.289    
18       80.49402   4.15622  1.772499   49.60    0.5520     52.834    172.325
19      197.57315    (可変)                                 52.034     
20       41.53289   1.00000  1.903660   31.32    0.5946     22.136    -18.571
21       11.87861   6.11857                                 17.788     
22      -25.15009   3.56636  1.922860   18.90    0.6495     17.521     26.345
23      -13.29162   0.75000  1.816000   46.62    0.5568     17.731    -12.621
24       47.98992    (可変)                                 17.823     
25       29.34261   3.41911  1.575006   41.50    0.5767     18.958     37.556
26      -80.01266    (可変)                                 18.913     
27      -24.19489   0.75000  1.772499   49.60    0.5520     18.910    -21.116
28       51.50170   2.71711  1.846660   23.78    0.6205     20.749     43.705
29     -132.87220    (可変)                                 21.305     
30(絞り)    ∞      1.30000                                 25.843     
31     -268.62319   4.38051  1.617722   49.81    0.5603     26.541     66.045
32      -35.78724   0.15000                                 27.463    
33      224.51855   3.95994  1.517417   52.43    0.5564     28.310     75.053
34      -46.92842   0.15000                                 28.469     
35       50.93393   6.71178  1.487490   70.23    0.5300     27.844     44.452
36      -36.29783   1.00000  1.834000   37.16    0.5776     27.245    -37.245
37      228.09008    (可変)                                 26.977     
38       67.53268   3.39270  1.517417   52.43    0.5564     26.752     92.089
39     -161.52426   1.88498                                 26.728    
40       75.88895   1.00000  1.882997   40.76    0.5667     26.333    -31.475
41       20.30272   3.74952  1.496999   81.54    0.5375     25.371    107.664
42       30.65140   1.11516                                 25.640    
43       31.47164   9.08151  1.487490   70.23    0.5300     26.583     30.249
44      -25.27784   1.00000  1.882997   40.76    0.5667     26.878    -45.808
45      -67.99343   0.60019                                 28.088    
46       78.64301   6.81174  1.487490   70.23    0.5300     29.106     48.290
47      -32.80080   4.50000                                 29.250     
48        ∞       33.00000  1.608590   46.44    0.5664     40.000     
49        ∞       13.20000  1.516330   64.15    0.5352     40.000      
50        ∞       (可変)                                   40.000    
像面       ∞
非球面データ
第20面
K =-1.43681e+000  A 4=-2.01627e-005  A 6=-1.72199e-006  A 8= 7.87700e-008  A10=-1.02182e-010  A12= 3.23331e-012  A14=-3.79970e-014  A16=-2.25937e-016  
A 3= 2.05055e-005  A 5= 9.69482e-006  A 7=-9.96661e-008  A 9=-9.06636e-009  A11= 5.79640e-011  A13=-5.68391e-013  A15= 6.83389e-015  
【００８１】
各種データ
ズーム比     17.30 
焦点距離       6.52    13.21    26.00    52.20   112.87  
Fナンバー      1.87     1.88     1.88     1.88     3.00  
半画角        40.13    22.60    11.94     6.01     2.79  
像高           5.50     5.50     5.50     5.50     5.50  
レンズ全長   306.00   306.00   306.00   306.00   306.00  
BF             8.00     8.00     8.00     8.00     8.00  
d19            0.96    19.04    33.82    43.44    48.92  
d24            2.46     1.99     1.67     1.53     1.04  
d26           48.10    17.99     6.70     3.35     3.00  
d29            5.89    10.22    11.58     9.11     1.58  
d37           36.00    44.18    39.64    35.98    38.88  
d50            8.00     8.00     8.00     8.00     8.00  
入射瞳位置    49.21    71.04   114.56   194.27   300.07  
射出瞳位置   165.53   112.60   136.46   165.70   141.60  
前側主点位置  56.00    85.92   145.82   263.75   508.29  
後側主点位置   1.48    -5.21   -18.00   -44.20  -104.87  
ズームレンズ群データ
群  始面    焦点距離  レンズ構成長  前側主点位置  後側主点位置
1    1      49.20        89.28        52.17         16.77
2   20      -8.60        11.43         3.30         -4.68
3   25      37.56         3.42         0.59         -1.60
4   27     -42.16         3.47        -0.54         -2.46
5   30      37.28        17.65         2.79         -8.56
6   38      49.25        79.34        17.37        -38.23
【００８２】
【表１】
2019090906.tif 000004
【符号の説明】
【００８３】
Ｕ１：第１レンズ群
Ｕ１１：第１サブレンズ群
Ｕ１２：第２サブレンズ群
Ｕ１３：第３サブレンズ群
Ｕ２：第２レンズ群
Ｕ３：第３レンズ群
Ｕ４：第４レンズ群（第１−７実施例：最終レンズ群）
Ｕ５：第５レンズ群（第８実施例：最終レンズ群）
Ｕ６：第６レンズ群（第９実施例：最終レンズ群）
【図１】
2019090906.tif 000005
【図２】
2019090906.tif 000006
【図３】
2019090906.tif 000007
【図４】
2019090906.tif 000008
【図５】
2019090906.tif 000009
【図６】
2019090906.tif 000010
【図７】
2019090906.tif 000011
【図８】
2019090906.tif 000012
【図９】
2019090906.tif 000013
【図１０】
2019090906.tif 000014
【図１１】
2019090906.tif 000015
【図１２】
2019090906.tif 000016
【図１３】
2019090906.tif 000017
【図１４】
2019090906.tif 000018
【図１５】
2019090906.tif 000019
【図１６】
2019090906.tif 000020
【図１７】
2019090906.tif 000021
【図１８】
2019090906.tif 000022
【図１９】
2019090906.tif 000023
【図２０】
2019090906.tif 000024
【図２１】
2019090906.tif 000025
【図２２】
2019090906.tif 000026
【図２３】
2019090906.tif 000027
【図２４】
2019090906.tif 000028
【図２５】
2019090906.tif 000029
【図２６】
2019090906.tif 000030
【図２７】
2019090906.tif 000031
【図２８】
2019090906.tif 000032
【図２９】
2019090906.tif 000033
【図３０】
2019090906.tif 000034
【図３１】
2019090906.tif 000035